(57)【要約】【課題】  人と環境に優しい多様な種類の天然木材を用いた堅牢な木板組合せパネルで、建築物の床用、桁梁間用、屋根の垂木間用等を提供する。【解決手段】  木製で任意寸法の板材において、裏面を平坦面とし表面に一定間隔で凹部４を横設した片面横溝板１の上面に、表面を平坦面とし裏面に片面横溝板１の凹部４と同一の凹部５を垂設した片面縦溝板２を直角に設け、凹部４と凹部５が対面して形成する□部に嵌入する桟木３の構成で、複数の各部材からなる任意の寸法において、接着剤を用い、片面横溝板１を併設して形成した各凹部４へ桟木３を嵌入した後、片面縦溝板２の凹部５を桟木３へ嵌入して接着結合し、更に、片面横溝板１と片面縦溝板２の任意の箇所を釘６、ビス７、テーパーダボ８で単独又は併用で結合する。【選択図】図１
2009102960.tif 000002
【特許請求の範囲】
【請求項１】
木製で任意寸法の板材において、裏面を平坦面とし表面に一定間隔で凹部４を横設した片面横溝板１の上面に、表面を平坦面とし裏面に片面横溝板１の凹部４と同一の凹部５を垂設した片面縦溝板２を直角に設け、凹部４と凹部５が対面して形成する□部に嵌入する桟木３の構成で、複数の各部材からなる任意の寸法において、接着剤を用い、片面横溝板１を併設して形成した各凹部４へ桟木３を嵌入した後、片面縦溝板２の凹部５を桟木３へ嵌入して接着結合し、更に、片面横溝板１と片面縦溝板２の任意の箇所を釘６、ビス７、テーパーダボ８で単独又は併用で結合したことを特徴とする木板組合せパネル。
【発明の詳細な説明】
【技術分野】
【０００１】
本発明は、環境に優しい天然木材を用いた主に木造建築の床、桁梁間、屋根の垂木間等に有効活用できる木板組合せパネルに関する。
【背景技術】
【０００２】
従来の木造建築で使用される板材は、規格化された部材を必要寸法に合わせて切断使用されているが、この場合使用場所によっては強度の必要、不必要により使用種類が多くなり端材が多く発生するし、コスト重視により輸入材が多く使用されているので地球環境の破壊の一因となっている。又、サイズが統一されている合板は場所によっては便利であるが１枚当たりの使用率は低く残材が多く発生する。更に、製造には多大なエネルギーを消費し、シックハウス症候群の大きな原因にもなっている。
【０００３】
現在の国産材使用率は平均２０％を切る状態と推測され、山林管理によって発生する間伐材、又、台風、積雪等による倒木材は商品価値が低いために放置されて適切な処理が行われないので山林が益々荒廃していくのが現状である。この間伐材、倒木材が建材として利用できれば資源の有効活用となり美しい山林の再生が可能である。
【０００４】
上記の解決策として木材の小幅板で表面を平坦面とし、裏面に係合用の凹凸を設けた第１小幅板と、同じく表面を平坦面とし、裏面に係合用の凹凸を設けた第２小幅板の凹凸部を係合させて複数平行にさせて配置して楔で結合する小幅板組み合わせパネルが提案されている。(例えば特許文献１)
【０００５】
更に、直接隣り合って配置された張り板状又は支柱状の木材の少なくとも３つの層を供えた既製積層木材ユニットで、少なくとも２つの隣接する層の木材が異なる向きを有しているものにおいて、個々の層の接合が木材の層を貫通するダボによって行われるフリーサイズ、フリー形状、フリー断面の積層パネル提案されている。（例えば特許文献２）
【特許文献１】特開２００５−２７９９８８
【特許文献２】特表２００２−５２０１９８
【発明の開示】
【発明が解決しようとする課題】
【０００６】
解決しようとする問題点は、規格化されている木材製品に加えて、製品化が種々の条件で困難とされている天然木材を、木造建築部材として堅牢で歪の生じないフリーサイズの木板組合せパネルを提供する。
【課題を解決するための手段】
【０００７】
木製で任意寸法の板材において、裏面を平坦面とし表面に一定間隔で凹部を横設した片面横溝板の上面に、表面を平坦面とし裏面に片面横溝板の凹部と同一の凹部を垂設した片面縦溝板を直角に設け、凹部と凹部が対面して形成する□部に嵌入する桟木の構成で、複数の各部材からなる任意の寸法において、接着剤を用い、片面横溝板を併設して形成した各凹部へ桟木を嵌入した後、片面縦溝板の凹部を桟木へ嵌入して接着結合し、更に、片面横溝板と片面縦溝の任意の箇所を釘、ビス、テーパーダボで単独又は併用で結合してなる。
【発明の効果】
【０００８】
本発明の木組合せパネルは、規格化されていない多様な木製板の使用ができ、接着剤を用いて片面横溝板と片面縦溝板を直角に並設重置し互いの接触面に横設と縦設した凹部で形成する□形部に同形状の桟木を嵌入して接着結合後、必要強度に応じて釘、ビス、テーパーダボを選定して片面横溝板と片面縦溝板の結合を行う。この結果、片面横溝板、片面縦溝板、桟木の接触面が固定され互いが干渉することで水平方向、垂直方向の平面の歪をなくして水平面の強度強化を実現した。
【０００９】
従って、現場に合わせて厚さ、幅、長さが簡単に変更でき、特に大きく出来るので木造建築の床用、又、桁梁間、屋根の垂木間に挿入することで建築物の歪を減ずる働きをする。更に、水平、垂直方向の強度は耐震性があるので建築物の重要部分に使用されれば地震に強い建材として多いに期待できる。
【００１０】
又、通常の規格材の他に、あまり使用されていない間伐材や倒木材、従来主に焼却処分されていた端材も使用できるので山林荒廃防止及び環境保護と地球温暖化防止の一翼を担うことが期待される。
【発明を実施するための最良の形態】
【００１１】
木製板材の片面に、凹面を一定間隔で横設した片面横溝材に凹面を垂設した片面縦溝材を凹面が□形を形成するように直角に複数それぞれ並設して形成する□形内に桟木を嵌入し片面横溝板と片面縦溝板の結合は接着剤と釘、ビス、テーパーダボ等の併用で行う形態とする。
【実施例】
【００１２】
以下、本発明の実施例を図面に基づいて説明する。図１は本発明に係わる木板組合せパネルの結合前の斜視図、図２は結合した木板組合せパネルの斜視図、図３は各結合部品での結合状態断面図である。複数の片面に凹部４を横設した片面横溝板１の上面に複数の片面に凹部５を縦設した片面縦溝板２を直角に置いてそれぞれの凹部４，５の対面で□形部を形成させて桟木３を嵌入して結合するが、結合方法は接着剤と釘６、ビス７、テーパーダボ８の単独か併用で行う。
【００１３】
結合されたパネルは片面横溝板１、片面縦溝板２、桟木３の接触面がそれぞれ干渉することにより強固に固定されるので水平方向、垂直方向の歪みが生じない。又、片面横溝板１と片面縦溝板２はフリーサイズなので必要寸法に容易に対応ができるので木造建築の床用、又、桁梁間や屋根の垂木間に挿入することで建築物の水平方向への外部からの圧力に抗し、今までにない建築物の歪みを減ずる働きをするので耐震用建築材としての使用が多いに期待できる。尚、図３では片面横溝板１が下面、片面縦溝板２が上面で釘６、ビス７、テーパーダボ８で結合しているが、片面縦溝板２が下面、片面横溝板１を上面として釘６、ビス７、テーパーダボ８で結合してもよい。
【図面の簡単な説明】
【００１４】
【図１】木板組合せパネルの結合前の斜視図である。
【図２】木板組合せパネルの結合した斜視図である。
【図３】木板組合せパネルの結合状態断面図である。
【符号の説明】
【００１５】
１  片面横溝板              
２  片面縦溝板
３  凹部
４  凹部
５  桟木
６  釘
７  ビス
８  テーパーダボ
【図１】
2009102960.tif 000003
【図２】
2009102960.tif 000004
【図３】
2009102960.tif 000005